(57)【要約】【課題】  ローパーティションを構成するパネルが転倒しないように支える為の安定脚であって、強度が高くて外観意匠に優れた安定脚の提供。【解決手段】  安定脚はスチール製Ｌ形脚１とアルミダイキャスト又は樹脂製のＬ形カバー脚１０を組合せた構造とし、上記スチール製Ｌ形脚１は中央部にリブ４を連続して形成した帯鋼をＬ形に曲げて水平部２と垂直部３を有し、又Ｌ形カバー脚１０は水平部１１と垂直部１２を有し、少なくとも水平部１１の底部には収容空間１３を形成すると共に上記スチール製Ｌ形脚１の水平部２を収容可能としている。【選択図】    図３
2006328880.tif 000002
【特許請求の範囲】
【請求項１】
ローパーティションを構成するパネルが転倒しないように支える為の安定脚において、安定脚はスチール製Ｌ形脚とアルミダイキャスト又は樹脂製のＬ形カバー脚を組合せた構造とし、上記スチール製Ｌ形脚は中央部にリブを連続して形成した帯鋼をＬ形に曲げて水平部と垂直部を有し、又Ｌ形カバー脚は水平部と垂直部を有し、少なくとも水平部の底部には収容空間を形成すると共に上記スチール製Ｌ形脚の水平部を収容可能としたことを特徴とするローパーティションの安定脚。
【請求項２】
上記スチール製Ｌ形脚のリブには嵌合溝を形成し、Ｌ形カバー脚の水平部には上記嵌合溝に嵌る嵌合片を下方へ延ばした請求項１記載のローパーティションの安定脚。
【請求項３】
上記Ｌ形カバー脚の垂直部の背面には位置決め突起を設け、又水平部と垂直部のコーナーにはネジ穴を形成したリブを設け、スチール製Ｌ形脚のリブコーナーにはネジが挿通する穴を設けた請求項１、又は請求項２記載のローパーティションの安定脚。
【請求項４】
スタッドを介してパネルを連結したローパーティションが転倒しないように支える為の安定脚を取付ける構造において、スタッドの側部には凹溝を連続して形成し、上記安定脚はスチール製Ｌ形脚とアルミダイキャスト又は樹脂製のＬ形カバー脚を組合せた構造とし、上記スチール製Ｌ形脚は中央部にリブを連続して形成した帯鋼をＬ形に曲げて水平部と垂直部を有し、そして水平部を床面に配置して必要に応じてネジ止め固定し、垂直部をスタッド側部の凹溝に嵌入すると共に該スタッドにネジ止めし、又Ｌ形カバー脚は水平部と垂直部を有し、水平部の底部に形成した収容空間に上記スチール製Ｌ形脚の水平部を収容し、垂直部の背面をスタッド面に当接し、垂直部背面に設けた位置決め突起を凹溝に係合したことを特徴とするローパーティションの安定脚の取付け構造。
【請求項５】
スチール製Ｌ形脚の水平部のリブに設けた嵌合溝にＬ形カバー脚の水平部に設けた嵌合片を嵌め、スチール製Ｌ形脚のリブコーナーに設けた穴にネジを挿通し、Ｌ形カバー脚のコーナーに設けた両リブ間にスチール製Ｌ形脚のリブを嵌めると共にネジ穴にネジを螺合して固定した請求項４記載のローパーティションの安定脚の取付け構造。
【発明の詳細な説明】
【技術分野】
【０００１】
本発明はローパーティションが転倒しないように下端部に取付けるＬ形安定脚、及び該安定脚の取付け構造に関するものである。
【背景技術】
【０００２】
ローパーティションは私的空間を形成する為に床面にパネルを起立して構成し、天井までは届かない高さと成っている。従って、ローパーティションにも色々な形態があるが、パネルを一直線状に配列している箇所には安定脚となるＬ形安定脚が取付けられて、パネルの転倒を防止している。図４は従来の一般的なＬ形安定脚の取付け構造を表している。
【０００３】
パネル(イ)はアジャスター(ハ)にて適度な高さに支持されて起立するスタッド(ニ)に連結し、そして上記パネル(イ)が転倒しないようにＬ形安定脚(ロ)が取付けられている。Ｌ形安定脚(ロ)は水平部(ホ)と垂直部(ヘ)を有し、水平部(ホ)は床面にネジ止めされると共に垂直部(ヘ)はスタッドにネジ止めされている。そこで、パネル(イ)に外力が作用して揺れても、Ｌ形安定脚(ロ)にて支えられる為に転倒しないが、垂直部(ヘ)はパネル面に当接した状態で上記スタッド(ニ)にネジ止めされる為に、垂直部(ヘ)はパネル面に食い込んでキズが付く。
【０００４】
又、水平部(ホ)は床面に、垂直部(ヘ)はスタッド(ニ)にネジ止めされるために、ネジ頭が表面化してＬ形安定脚(ロ)の外観が損なわれると共に、パネルの高さが大きなローパーティションの場合には取付けられる上記Ｌ形安定脚も大きなものと成り、これも外観上好ましくない。しかし、小さいＬ形安定脚では強度が低くてパネル(イ)の揺れに対して破損してしまう。
【０００５】
特開２００３−１２９５９５号に係る「間仕切パネルの安定脚取付装置」は、間仕切パネルに安定脚を、少数の部品をもって、所定の位置に、確実かつ簡単に取付けられるように構成している。すなわち、前面より、上下方向の狭幅の挿入溝と、その奥に連なる上下方向の広幅の係合溝とを設けた間仕切りパネルの支柱の前面において、挿入溝と係合溝に上下摺動可能に嵌合しうる狭幅の連片と広幅の係止片を備える取付けブロックを、側面視前向Ｌ形をなす安定脚の後端における垂直杆の後面に設けた凹入孔に嵌合し、垂直杆の前方より挿入した取付ビスを、取付ブロックに螺合することにより、取付ブロックを前方へ引き寄せ、その後端の係止片をもって、支柱の前片を狭圧させて取付ブロックを固定する。
【０００６】
ところで、上記Ｌ形安定脚は取付ブロックにネジ止めされる為に、垂直杆１０にはネジが挿通する穴が形成されており、該安定脚の外観が損なわれる。そして該安定脚を床面にネジ止めして固定するならば、水平杆にもネジの挿通穴を設ける必要がある。そして、該安定脚としては樹脂の成形品やアルミダイキャスト品が用いられるが、間仕切パネルの大きくて高くなると、該安定脚の強度が問題となる。間仕切パネルに衝撃が加わって揺れる場合、安定脚には高い応力が発生し、樹脂製やダイキャスト製では強度的に耐えることが出来ないケースが起きる。
【０００７】
特開平１１−２２０７４号に係る「パネル状パーティションの安定脚装置」は、パーティションの支柱を、ぐらつくことなく安定して強固に床に固定することが出来る。すなわち、締め付け具及びフック部材の傾斜面は支柱から離間するにつれ上方に傾斜する傾斜面となっており、締め付けネジを回転すると、締め付け具はフック部材を押圧し、フック部材は下方かつ外側に移動され、コーナー補強部材を支柱に対して強固に固定することが出来る。
【０００８】
ただし、構造が非常に複雑であり、構造の複雑化が逆に安定脚装置の強度の低下をもたらす。該安定脚装置にはカバーが取付けられるが、該カバーは外観意匠を向上する為だけの単なるカバーに過ぎず、安定脚の強度を補強する機能を果たすことは出来ない。
【特許文献１】特開２００３−１２９５９５号に係る「間仕切パネルの安定脚取付装置」
【特許文献２】特開平１１−２２０７４号に係る「パネル状パーティションの安定脚装置」
【発明の開示】
【発明が解決しようとする課題】
【０００９】
このように、従来の安定脚には上記のごとき問題がある。本発明が解決しようとする課題はこの問題点であり、外観的にも好ましくて簡単な構造で、又強度の高い安定脚及び該安定脚の取付け構造を提供する。
【課題を解決するための手段】
【００１０】
本発明に係るＬ形安定脚はスチール製のＬ形脚とＬ形カバー脚との組合せで構成している。スチール製Ｌ形脚は一定幅の帯鋼の中央には長手方向に延びるリブ(凸部)を連続して形成し、これをＬ形に曲げ成形したものであり、水平部及び垂直部が形成される、そしてリブを成形することで各部の曲げ強度は高くなり、しかしスチール製のＬ形脚である為にパネルの揺れに対して撓み変形可能と成る。
【００１１】
Ｌ形カバー脚は樹脂製又はアルミのダイキャスト製であり、上記スチール製Ｌ形脚に冠着される。Ｌ形カバー脚も水平部と垂直部を有し、スチール製Ｌ形脚が露出しないようにカバーされ、そして外れないようにコーナー部がスチール製Ｌ形脚にネジ止めされる。Ｌ形カバー脚の水平部の底部には収容空間が形成されてスチール製Ｌ形脚の水平部が収容される。
【００１２】
ところで、上記スチール製Ｌ形脚はスタッドに取付けられるが、該スタッドの外側には凹溝が連続して形成され、この凹溝にスチール製Ｌ形脚の垂直部が嵌入し、該垂直部はスタッドにネジ止めされている。勿論、この場合、水平部は床面に当接した状態にある。Ｌ形カバー脚の垂直部はスタッド表面に当接すると共に位置決め突起が凹溝に係止する。
【発明の効果】
【００１３】
本発明に係るＬ形安定脚はスチール製Ｌ形脚とＬ形カバー脚の組合せで構成し、スチール製Ｌ形脚は長手方向へ延びたリブを形成している為にその強度は高く、背が高くて大きなパネルで構成したローパーティションであっても、パネルを安定して起立することが出来る。そして、スチール製Ｌ形脚の垂直部はスタッドの凹溝に嵌入している為に、Ｌ形カバー脚の垂直部だけがスタッド表面から突出した状態となるだけで、表面からの突出寸法を抑制できる。
【００１４】
そして、スチール製Ｌ形脚にはＬ形カバー脚が冠着して表面を覆うことで、リブやネジ頭が表面化せず、Ｌ形安定脚の外観意匠は向上する。また、本発明の安定脚の垂直部はスタッドに面して取付けられる為に、パネルの揺れに伴って垂直部がパネル面に食い込んでキズ付けることはない。さらに、Ｌ形カバー脚を位置ズレしないようにスチール製Ｌ形脚に組付けるならば、単なるカバーとしての役目だけでなく、該スチール製Ｌ形脚の補強脚として機能することが出来る。
【実施例】
【００１５】
図１はスチール製Ｌ形脚１を示す実施例であり、該スチール製Ｌ形脚１は水平部２と垂直部３を有している。スチール製Ｌ形脚１は一定幅の帯鋼の中央にリブ４を長手方向に成形し、これを同図に示すようにＬ形に曲げ成形される。上記リブ４は滑らかな曲面にて形成され、水平部２のリブ両側には固定部５，５が設けられ、該固定部５，５にはネジ止め用の穴６，６・・を有している。従って、これら穴６，６・・にネジを挿通して床面に固定される。
【００１６】
そして、水平部２のリブ４には嵌合溝７が貫通して設けられ、又垂直部３のリブ４には長穴８ａ，８ｂが設けられ、水平部２と垂直部３のリブ４のコーナーには側部から貫通した穴９が設けられている。図２はＬ形カバー脚１０を表している実施例であり、該Ｌ形カバー脚１０はアルミダイキャスト品、又は樹脂の射出成形品として製作される。
【００１７】
このＬ形カバー脚１０も前記スチール製Ｌ形脚と同じく、水平部１１と垂直部１２を有して互いに連続したＬ形を成している。水平部１１の底部には収容空間１３が形成され、該収容空間１３の中央には嵌合片１４が下方へ延びている。一方の垂直部１２の上部と下部の背面１５にはそれぞれ２個の位置決め突起１６ａ，１６ｂ・・が突出している。そして、水平部１１と垂直部１２のコーナーには２個のリブ１７ａ，１７ｂが背面側へ突出して設けられ、該リブ１７ａ，１７ｂにはネジ穴１８ａ，１８ｂを形成している。
【００１８】
図３はローパーティションに本発明に係る安定脚を取付けた場合の実施例である。同図の１９はスタッド、２０はアジャスター、２１はパネルを表している。両パネル２１，２１はスタッド１９を介して連結され、そしてパネル２１，２１はスタッド１９との間に配置しているアジャスター２０，２０にて適当な高さに支持されている。
【００１９】
上記スタッド１９の外側には凹溝２２，２２が設けられ、該凹溝２２にスチール製Ｌ形脚１の垂直部３が嵌っている。対向側に位置する他方の凹溝２２にはカバー２３が取付けられて、該凹溝２２は塞がれている。凹溝２２に嵌った上記垂直部３はスタッド１９にネジ止めされるが、中央部に設けている中空２４に嵌合しているスチール製のネジ止め部材２５にネジ２６，２６を螺合して締め付けた構造と成っている。
【００２０】
中空２４に嵌ったネジ止め部材２５はネジ２７にて落下しないように止着され、スチール製Ｌ形脚１の垂直部３は、長穴８ａ，８ｂからネジ２６，２６を挿通して上記ネジ止め部材２５に締め付け・固定される。この場合、アジャスター２０，２０にて高さ調整が行われても対応できるように垂直部３には上記長穴８ａ，８ｂが設けられ、水平部２は床面に当接してネジ止めされる。すなわち、水平部２のリブ両側に設けている固定部５，５の穴６，６・・にネジを挿通して床面に固定される。
【００２１】
このように、スタッド１９はスチール製Ｌ形脚１にて転倒しないように支持されることになるが、該スチール製Ｌ形脚１には前記Ｌ形カバー脚１０が冠着される。水平部１１の底に形成した収容空間１３にスチール製Ｌ形脚１の水平部２が収容され、垂直部１２はスタッド１９の側面に当接して取付けられる。
【００２２】
この場合、垂直部１２の背面１５に設けている位置決め突起１６ａ，１６ｂ・・はスタット１９の凹溝２２に嵌入して垂直部１２は位置決めされ、水平部１１に設けている嵌合片１４はスチール製Ｌ形脚１の水平部２に設けている嵌合溝７に嵌る。従って、水平部１１も位置決めが行われる。そして、水平部１１と垂直部１２のコーナーに設けてリブ１７のネジ穴１８ａ，１８ｂにはネジ２８が螺合してスチール製Ｌ形脚のリブ４に固定される。
【００２３】
スチール製Ｌ形脚１のリブ４は水平部１１の収納空間１３に収容され、そして上記両リブ１７ａ，１７ｂに挟まれて上方へ延びて、スタット１９の凹溝２２に収容される。スチール製Ｌ形脚１の垂直部３はスタッド１９の凹溝２２に収容される為に、スタッド側面にはＬ形カバー脚１０の垂直部１２が露出するだけとなる。
【図面の簡単な説明】
【００２４】
【図１】スチール製Ｌ形脚
【図２】Ｌ形カバー脚
【図３】本発明に係る安定脚の取付け構造。
【図４】従来の安定脚の取付け構造。
【符号の説明】
【００２５】
１  スチール製Ｌ形脚
２  水平部
３  垂直部
４  リブ
５  固定部
６  穴
７  嵌合溝
８  長穴
９  穴
10  Ｌ形カバー脚
11  水平部
12  垂直部
13  収容空間
14  嵌合片
15  背面
16  位置決め突起
17  リブ
18  ネジ穴
19  スタッド
20  アジャスターネジ
21  パネル
22  凹溝
23  カバー
24  中空
25  ネジ止め部材
26  ネジ
27  ネジ
28  ネジ
【図１】
2006328880.tif 000003
【図２】
2006328880.tif 000004
【図３】
2006328880.tif 000005
【図４】
2006328880.tif 000006